(57)【要約】【課題】植物の育成貯蔵空間を植物の育成並びに貯蔵の最適空間とし、これによって植物の育成および貯蔵をより効果的に行い得るようにし、ひいては植物市場における植物の活性流通をより効果的に行い得るようにする。【解決手段】対象となる植物Ｐの生理的な特質に合わせてその植物Ｐを生育しながら管理する植物Ｐの生理管理（対象となる植物Ｐの呼吸や同化作用等の生理的な特質を考慮して養生、発根、育成、貯蔵等を目的として当該植物Ｐを適正に生育するものであり、植物Ｐが略密閉状態で装填される植物生理管理庫２０と、負に帯電した微細な負帯電微細水滴を気流に同伴させて植物生理管理庫２０内に供給するとともに、植物生理管理庫２０内の雰囲気を吸引する加湿器４０と、植物生理管理庫２０内に装填された植物に光を照射する光源７０とを備えている。【選択図】図１
2008104364.tif 000002
【特許請求の範囲】
【請求項１】
対象となる植物の生体を生理的に管理する植物生理管理装置であって、
前記植物が略密閉状態で装填される植物生理管理庫と、
負に帯電した微細な水滴を気流に同伴させて前記植物生理管理庫内に供給する加湿器と、
前記植物生理管理庫内に装填された植物に光を照射する光源とが備えられていることを特徴とする植物生理管理装置。
【請求項２】
前記加湿器は、植物生理管理庫内の雰囲気を吸引するものであることを特徴とする請求項１記載の植物生理管理装置。
【請求項３】
前記植物生理管理庫内に熱媒体を介して熱を供給する熱源が備えられていることを特徴とする請求項１または２記載の植物生理管理装置。
【請求項４】
前記熱源は、前記植物生理管理庫内を加温する加温装置および前記植物生理管理庫内を冷却する冷却装置の少なくとも１つであることを特徴とする請求項３記載の植物生理管理装置。
【請求項５】
前記光源による植物への照射量を調整する照射量調整部を有し、
前記植物の生理管理は、穂木が台木に挿し木されることにより形成された接木の養生であり、
前記照射量調整部は、経時方向に照射量を変更させるものであり、
少なくとも養生開始からの所要時間は消灯状態とすることを特徴とする請求項１乃至４のいずれかに記載の植物生理管理装置。
【請求項６】
前記植物を保持した状態で前記植物生理管理庫内に挿入される植物保持台が備えられていることを特徴とする請求項１乃至５のいずれかに記載の植物生理管理装置。
【請求項７】
前記植物生理管理庫は、複数に仕切られた管理室を有し、前記植物保持台を予め定めた順番で搬送する搬送機構が備えられていることを特徴とする請求項６記載の植物生理管理装置。
【請求項８】
前記植物生理管理庫を所定の隙間を介して全体的に覆う外容器が設けられ、前記熱源として前記隙間内の空気を加温する加温装置と、同冷却する冷却装置とが備えられていることを特徴とする請求項３記載の植物生理管理装置。
【発明の詳細な説明】
【技術分野】
【０００１】
本発明は、野菜、果実、草木あるいは茸類等の植物の生体を生理的に管理することによって当該植物の育成、養生（例えば接木の養生）、断根後の発根、栽培促進（例えば茸の栽培促進）、貯蔵期間中の植物の枯朽の防止等を効果的に行い得るようにした植物生理管理装置に関するものである。
【背景技術】
【０００２】
水滴が分裂することにより周りの空気が負に帯電する現象はレナード効果として古くから知られている。一方、空気が負に帯電した環境は、植物の生育や食品の鮮度等に好影響を与えることが知られている。そこで、植物の生育環境や食品の貯蔵環境等を積極的に負帯電の環境にするべく、水のクラスターを分裂させて負に帯電した微細な水滴を含むいわゆる活性空気を植物の生育環境や食品の貯蔵環境等に送り込み、これらの環境を積極的に負に帯電させることが提案されている。
【０００３】
前記活性空気を形成させるべく、水のクラスターを分裂させて負帯電の微細な水滴を形成させる装置（微細粒子拡散装置という）としては、例えば、特許文献１に記載されたものを挙げることができる。また、微細粒子拡散装置を利用して植物の生育環境や食品の貯蔵環境等を負帯電の環境にするものとしては、特許文献２〜４に記載されたものが知られている。
【０００４】
特許文献１に記載の微細粒子拡散装置は、高速回転しているシロッコファンに水を衝突させ、この衝突時の衝撃で水のクラスターを分断させるものであり、クラスターが分断された結果得られた負に帯電している微細水滴を気流に同伴させて所定の環境へ向けて送り込むようになされている。
【０００５】
特許文献２に記載の装置は、食品の鮮度を維持するためのものであり、管状体内に吹き込まれた旋回気流中に水を噴射して水滴に負の帯電を行わせる方式の微細粒子拡散装置が採用されている。かかる微細粒子拡散装置で得られた負帯電水滴を介して周りの空気が負に帯電され、この負帯電空気は、食品が貯蔵された貯蔵室に供給される。これにより当該貯蔵室内に貯蔵された食品は、負帯電空気の作用で鮮度が維持される。貯蔵室に供給された負帯電空気は旋回気流として管状体内へ戻され循環使用される。
【０００６】
特許文献３に記載の装置は、植物や微生物などの生物を育成するためのものであり、特許文献２に記載のものと同様の微細粒子核酸装置が採用されている。かかる微細粒子核酸装置により負帯電水滴を介して負に帯電した空気が育成室へ供給され、当該育成室内の生物の育成に寄与される。
【０００７】
特許文献４に記載の装置は、米麦類、雑穀類あるいは豆類等の農作物を活性化させるためのものであり、これも特許文献２に記載のものと同様の微細粒子核酸装置が採用されている。かかる微細粒子核酸装置により負帯電水滴を介して負に帯電した空気が保管室へ供給され、当該保管室に保管されている各種の農作物の活性化（例えば発芽の促進）に寄与される。
【０００８】
このように、植物の生育環境や食品の貯蔵環境を負帯電環境にするためには、水のクラスターを分断して拡散させる微細粒子拡散装置が重要な役割を果たす。
【０００９】
ところで、近年、負に帯電した水の超微細粒子を従来よりも効果的に得ることができる装置として、特許文献５に記載されているような超微粒子拡散装置が注目されている。この超部粒子拡散装置は、野菜や果物等を例えば所定のハウス内で行う、いわゆるハウス栽培時に当該ハウス内の温度および湿度を調整するために使用されるものであり、ハウス内に据え付けられて使用に供される。
【００１０】
かかる超微粒子拡散装置は、水が貯留された大皿状の水槽と、この水槽上に水面と対向するように脚部を介して配設された架台と、この架台の中央部から水中にまで垂下された、水槽内の水を吸引するための上面が開放された吸引管と、この架台の下面の中央位置で吸引管回りに回転可能に設けられた、駆動モータの駆動で駆動軸回りに回転する送風羽根と、架台の上面に前記駆動軸回りに同心で一体回転可能に設けられた上窄みの筒体と、この筒状の周面から径方向の外方に向かって突設された複数枚の螺旋フィンと、筒体を覆うように架台上に同心で固定されたケーシングとを備えている。
【００１１】
前記架台には、適所に上下に貫通した複数の通気孔が穿設されている。また、駆動モータは、筒体内に配置された状態で架台に支持されている。また、筒体とケーシングとの間に環状通気路が形成されている。
【００１２】
このように構成された超微粒子拡散装置によれば、駆動モータの駆動による駆動軸の回転で架台下の送風羽根をおよび架台上の筒体を軸心回りに一体回転させることにより、まず、水槽の水面上に当該水面から上方に向かう気流が形成され、この気流による水面上方の減圧（すなわちエジェクター効果）で水槽内の水が吸引管を介して上方へ吸引されて架台上へ導出される。
【００１３】
この架台上に導出された水は、回転している送風羽根との衝突でまず細粒子になる。この細粒子は、遠心力で送風羽根から径方向の外方に向かって吹き飛ばされ、各所に衝突しながら微細粒子になり、通気口をとおって環状通気路に導出され、ここで回転している筒体の周面の螺旋フィンおよびケーシングの内壁面に衝突して超微細粒子になる。この超微細粒子は、ケーシングの頂部開口に架設されたフィルタを通過することで最適超微細粒子になる。
【００１４】
そして、この最適超微細粒子がハウス内に供給されることにより、最適超微細粒子は、その粒径が極めて小さいことにより、埃や細菌を保持することができず、従って極めて清浄な状態になっていることから、単に水を噴霧した場合に比較し、植物への雑菌の侵入をより効果的に防止することができるばかりか、水滴による葉の赤化を防止することが可能になる等、湿度による植物の生育環境を確保しつつり、植物の劣化を有効に回避することが可能になり、植物を適正に育成したり貯蔵したりすることができる。
【特許文献１】特開２００２−１９５６１５号公報
【特許文献２】特開平７−１３５９４５号公報
【特許文献３】特開平７−１７０８８８号公報
【特許文献４】特開平８−８９７９０号公報
【特許文献５】特開２００５−１３１５４６号公報
【発明の開示】
【発明が解決しようとする課題】
【００１５】
ところで、特許文献５には、記載の超微粒子拡散装置を、例えば、農事用のハウスや倉庫などの育成貯蔵空間に単に据え付けることしか開示されておらず、据え付けられる側の育成貯蔵空間についての開示はない。
【００１６】
すなわち、せっかく効果の大きい超微粒子拡散装置を育成貯蔵空間に据え付けても、当該育成貯蔵空間の環境が不適な場合、例えば、育成貯蔵空間が完全密閉される場合には、結露が生じて植物に悪影響を与える他、育成貯蔵空間が外部に対して開放空間である場合には、外気の混入で最適微細粒子が育成貯蔵空間内に留まることが困難になる等、超微粒子拡散装置の作用効果を確実に享受することができなくなる。
【００１７】
また、植物を貯蔵しながら当該植物の育成を図ることも考慮した場合、育成貯留空間を単に超微粒子拡散装置で最適微細粒子の環境にしただけでは不足であり、育成環境をさらに充実したものにする必要がある。
【００１８】
本発明は、かかる従来の状況に鑑みなされたものであって、超微粒子拡散装置を利用することを前提とし、植物の育成貯蔵空間を植物の育成並びに貯蔵の最適空間とし、これによって植物の育成および貯蔵をより効果的に行い得るようにし、ひいては植物市場における植物の活性流通をより効果的に行い得る植物生理管理装置を提供することを目的としている。
【課題を解決するための手段】
【００１９】
請求項１記載の発明は、対象となる植物の生体を生理的に管理する植物生理管理装置であって、前記植物が略密閉状態で装填される植物生理管理庫と、負に帯電した微細な水滴を気流に同伴させて前記植物生理管理庫内に供給する加湿器と、前記植物生理管理庫内に装填された植物に光を照射する光源とが備えられていることを特徴とするものである。
【００２０】
請求項１記載の発明における植物の生体の「生理的な管理」とは、対象となる植物の呼吸や同化作用等における生理的な特質を考慮して養生、発根、育成、貯蔵等（以下これらを総称して生育という）を目的として当該植物を適正に管理することである。
【００２１】
かかる構成によれば、略密閉状態の植物生理管理庫内に装填された植物は、加湿器から供給された負帯電微細水滴の供給を受けるとともに、必要に応じて光源からの光の照射を受けつつ当該植物の生理的な特質に合わせて生育が管理されるため、略密閉状態の空間に装填された植物は、開放状態の空間で微細水滴の供給を受ける場合に比較し、無駄なくより効率的に、かつ、均一に負帯電微細水滴が供給され、これによって植物の生態の生理的な管理が達成される。
【００２２】
また、植物に供給される水は、微細な水滴であるため、当該微細水滴中に埃や雑菌が存在せず、従って、従来の単に植物に散水した場合に比較し、植物への埃や雑菌の付着が有効に防止される。
【００２３】
さらに、植物が負に帯電した負帯電微細水滴の供給を受けるため、当該水滴の負の帯電によって生育上で好影響を受け、これによって植物は適正、かつ、効率的に生育する。
【００２４】
そして、特に、光源が設けられていることにより、対象植物の生育特性を考慮した光照射を行うことが可能になり、光源が設けられていない場合に比較し、より効果的な生育管理が実行される。また、植物生理管理庫が屋内に据え付けられていて植物生理管理庫内に日光が射し込まないような場合、光源からの光照射で植物生理管理庫内の植物に光が当てられ、植物生理管理庫内の植物の光合成、蒸散および光形態形成に寄与する。
【００２５】
請求項２記載の発明は、請求項１記載の発明において、前記加湿器は、植物生理管理庫内の雰囲気を吸引するものであることを特徴とするものである。
【００２６】
かかる構成によれば、植物生理管理庫内の雰囲気は、加湿器が当該雰囲気を吸飲することで循環され、この循環途中で負帯電微細水滴が形成されるため、加湿器で生成されて気流に同伴する負帯電微細水滴が植物生理管理庫内から外部に漏洩することが防止され、生成した負帯電微細水滴が無駄なく有効に使用される。
【００２７】
請求項３記載の発明は、請求項１または２記載の発明において、前記植物生理管理庫内に熱媒体を介して熱を供給する熱源が備えられていることを特徴とするものである。
【００２８】
かかる構成によれば、植物生理管理庫内に熱源から熱媒体を介して供給される熱量（冷熱量を含む）を調節することにより、植物生理管理庫内の温度を対象植物の生育に適した好ましい温度にし得るようになる。
【００２９】
このように、植物生理管理庫が据え付けられる環境に応じて熱源から熱を供給することにより植物生理管理庫内は、植物生育に適した温度条件を満たしたものになり、植物生理管理庫が向上する。
【００３０】
請求項４記載の発明は、請求項３記載の発明において、前記熱源は、前記植物生理管理庫内を加温する加温装置および前記植物生理管理庫内を冷却する冷却装置の少なくとも１つであることを特徴とするものである。
【００３１】
かかる構成によれば、植物生理管理庫内に加温装置が設けられることにより、植物生理管理庫内の温度が対象植物の適正な生育にとって適正な温度より低温である場合、当該加温装置により植物生理管理庫内を昇温させることで生育温度が適正になる。また、植物生理管理庫内に冷却装置が設けられることにより、植物生理管理庫内の温度が対象植物の適正な生育にとって適正な温度より高温である場合、当該冷却装置により植物生理管理庫内を下降させることで生育温度が適正になる。加温装置と冷却装置との双方を設けた場合には、それらの運転を制御することにより、植物生理管理庫内の温度は、対象植物にとって常に好ましい温度になる。
【００３２】
このように、植物生理管理庫が据え付けられる環境に応じて当該植物生理管理庫に加温装置および冷却装置のいずれか若しくは双方を設けることで、植物生理管理庫は、あらゆる設置環境に対応し得るものになり、植物生理管理庫の汎用性が向上する。
【００３３】
請求項５記載の発明は、請求項１乃至４のいずれかに記載の発明において、前記光源による植物への照射量を調整する照射量調整部を有し、前記植物の生理管理は、穂木が台木に挿し木されることにより形成された接木の養生であり、前記照射量調整部は、経時方向に照射量を変更させるものであり、少なくとも養生開始からの所要時間は消灯状態とすることを特徴とするものである。
【００３４】
かかる構成によれば、接木に対して好ましい状態で照射量調整部により経時的に光の照射量を調整することによって接木の養生が確実に行われ、活着率が向上する。そして、少なくとも養生開始からの所要時間は消灯状態とすることでさらに確実な養生処理が実現する。
【００３５】
請求項６記載の発明は、請求項１乃至５のいずれかに記載の発明において、前記植物を保持した状態で前記植物生理管理庫内に挿入される植物保持台が備えられていることを特徴とするものである。
【００３６】
かかる構成によれば、植物生理管理庫とは別の場所で複数の植物を搭載した状態の植物保持台を植物生理管理庫へ挿入することにより、当該植物が植物生理管理庫に装填された状態になる。
【００３７】
このように植物保持台を採用することにより、植物生理管理庫における植物の生育処理と、植物の植物保持台への搭載処理とを並列して行うことが可能になるため、植物を植物生理管理庫に直接装填してから植物生理管理庫による生育処理をおこなう場合に比較して植物の生育処理の処理効率が向上する。
【００３８】
請求項７記載の発明は、請求項６記載の発明において、前記植物生理管理庫は、複数に仕切られた管理室を有し、前記植物保持台を予め定めた順番で搬送する搬送機構が備えられていることを特徴とするものである。
【００３９】
かかる構成によれば、搬送機構の所定時間毎の間欠的な駆動で植物保持台を１台ずつ最上流側の植物生理管理庫へ順番に搬入していくことにより、植物生理管理庫内に搬入された植物保持台は、最上流側の植物生理管理庫から所定の時間間隔で順次下流側の植物生理管理庫へ搬送され、最下流側の植物生理管理庫から外部に搬出される。
【００４０】
従って、直列に配設された複数の植物生理管理庫の各生育環境を、生育対象植物の経時的な生育過程に対応したものに設定しておくことにより、対象植物の搭載された植物保持台を所定の時間間隔で最上流側の植物生理管理庫へ搬入することにで、最下流があの植物生理管理庫から目的の生育処理済みの植物の搭載された植物保持台が搬出され、これによって植物生育の処理効率が向上する。
【００４１】
請求項８記載の発明は、請求項３記載の発明において、前記植物生理管理庫を所定の隙間を介して全体的に覆う外容器が設けられ、前記熱源として前記隙間内の空気を加温する加温装置と、同冷却する冷却装置とが備えられていることを特徴とするものである。
【００４２】
かかる構成によれば、状況に応じて加温装置および冷却装置のいずれか一方または所定の比率で双方を使用することによって植物生理管理庫と外容器との間の隙間の空気を温度調節することができ、ひいてはこの温度調節によって広い面積を備えた植物生理管理庫の壁の温度を調節することができる。そして、かかる壁の温度調節により当該壁の内面側に形成される、またはすでに形成されている結露を利用することによって（すなわち植物生理管理庫内で蒸散している水分の凝縮潜熱または結露の蒸発潜熱を利用することによって）植物生理管理庫内の相対湿度を調節することができるため、植物生理管理庫内の空気の温度を全体的に昇降させることによって植物生理管理庫内の相対湿度を調節する場合に比較し、植物の生育に適した植物生理管理庫内の環境を維持した上で格段に効率的、かつ、迅速に植物生理管理庫内の湿度が調節される。
【発明の効果】
【００４３】
請求項１記載の発明によれば、略密閉状態の植物生理管理庫内に装填された植物は、加湿器から供給された負帯電微細水滴の供給を受けつつ当該植物の生理的な特質に合わせて生育が管理されるため、開放状態の空間で微細水滴の供給を受ける場合に比較し、無駄なくより効率的に、かつ、均一に負帯電微細水滴が供給され、これによって植物の生育効率を向上させることができる。
【００４４】
また、植物に供給される水は、微細な水滴であるため、当該微細水滴中に埃や雑菌が存在せず、従って、従来の単に植物に散水した場合に比較し、植物への埃や雑菌の付着が有効に防止されるとともに、植物は、負に帯電した負帯電微細水滴の供給を受けるため、当該水滴の負の帯電によって生育上で好影響を受け、これによって植物を適正、かつ、効率的に生育することができる。
【００４５】
そして、特に、光源が設けられていることにより、対象植物の生育特性を考慮した光照射を行うことが可能になり、光源が設けられていない場合に比較し、より効果的な生育管理を実現することができる。
【００４６】
請求項２記載の発明によれば、加湿器は、植物生理管理庫内の雰囲気を循環させ、この循環途中で負帯電微細水滴を形成するようにしているため、加湿器で生成されて気流に同伴する負帯電微細水滴が植物生理管理庫内から外部に漏洩することを防止することができ、生成した負帯電微細水滴を無駄なく有効に使用することができる。
【００４７】
請求項３記載の発明によれば、熱源からの熱媒体を介した植物生理管理庫内への熱の供給で植物生理管理庫を植物の育成に適した温度に調節することが可能になり、植物の生育管理を向上させることができる。
【００４８】
請求項４記載の発明によれば、植物生理管理庫が据え付けられる環境に応じて当該植物生理管理庫に加温装置および冷却装置のいずれか若しくは双方を設けることで、植物生理管理庫は、あらゆる設置環境に対応し得るものになり、植物生理管理庫の汎用性を向上させることができる。
【００４９】
請求項５記載の発明によれば、少なくとも養生開始からの所要時間は消灯状態とすることでさらに確実な養生処理を達成することができる。
【００５０】
請求項６記載の発明によれば、植物保持台を採用することにより、植物生理管理庫における植物の生育処理と、植物の植物保持台への搭載処理とを並列して行うことが可能になるため、植物を植物生理管理庫に直接装填してから植物生理管理庫による生育処理をおこなう場合に比較して植物の生育処理の処理効率を向上させることができる。
【００５１】
請求項７記載の発明によれば、直列に配設された複数の植物生理管理庫の各生育環境を、生育対象植物の経時的な生育過程に対応したものに設定しておくことにより、対象植物の搭載された植物保持台を所定の時間間隔で最上流側の植物生理管理庫へ搬入することで、最下流があの植物生理管理庫から目的の生育処理済みの植物の搭載された植物保持台が搬出され、これによって植物生育の処理効率を向上させることができる。
【００５２】
請求項８記載の発明によれば、植物生理管理庫の壁面の温度調節により当該壁面の内面側に形成される結露の凝縮潜熱、またはすでに形成されている結露の蒸発潜熱を利用することによって植物生理管理庫内の相対湿度を調節することができるため、植物生理管理庫内の空気の温度を全体的に昇降させることによって植物生理管理庫内の相対湿度を調節する場合に比較し、植物の生育に適した植物生理管理庫内の環境を維持した上で格段に効率的、かつ、迅速に植物生理管理庫内の湿度を調節することができる。
【発明を実施するための最良の形態】
【００５３】
図１は、本発明に係る第１実施形態の植物生理管理装置１０を示す一部切欠き斜視図であり、図２は、植物保持台車（植物保持台車）３０の第１実施形態を示す斜視図である。また、図３は、図１のIII−III線断面図である。なお、図１〜図３においては、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００５４】
図１および図３に示すように、第１実施形態に係る植物生理管理装置１０は、対象となる植物Ｐの生理的な特質に合わせて当該植物Ｐの生育を管理するように構成されたものであり、内部に植物Ｐを生育するための植物管理空間Ｖを備えた直方体状を呈する植物生理管理庫２０と、植物Ｐが配列された状態でこの植物生理管理庫２０内に挿脱可能に挿入される植物保持台車３０と、前記植物管理空間Ｖ内に適正に調製された負帯電微細水滴を供給する加湿器４０と、植物管理空間Ｖ内の温度を上昇させる加温装置５０と、植物管理空間Ｖ内の温度を下降させる冷却装置６０と、植物管理空間Ｖ内の植物Ｐに生育用（光合成、蒸散および光形態形成（以下光合成等という）用）の光を供給する光源７０とを備えている。ここに加温装置５０と冷却装置６０とで植物管理空間Ｖ内に熱媒体を介した熱を供給する熱源が構成されている。
【００５５】
前記植物生理管理庫２０は、長短２種類の４本の根太を平面視で前後方向に長尺の長方形になるように組み合わせることで形成された基礎枠体２１と、この基礎枠体２１の四隅から立設された４本の支柱２２と、これら４本の支柱２２における隣設されたものの頂部間にそれぞれ架設される４本の梁材２３とで構成された直方体状の骨格の表面側に外装板２４が付設されるとともに、前記基礎枠体２１の下面側に底板２５が設けられることによって形成されている。
【００５６】
かかる植物生理管理庫２０の前面には、外装板２４が例えば矩形状に切り欠かれることによって形成した出入口２４１が設けられ、前記植物保持台車３０は、この出入口２４１を介して植物管理空間Ｖに対し挿脱される。
【００５７】
そして、かかる出入口２４１には、開閉扉２６が設けられている。前記植物保持台車３０は、この開閉扉２６が開放された状態で植物管理空間Ｖに対し挿脱される一方、植物Ｐを保持した植物保持台車３０が植物管理空間Ｖ内に装填された状態で当該開閉扉２６が閉止される。因みに、本実施形態では、開閉扉２６は一対で設けられ、観音開きで開放されるようになっている。
【００５８】
前記植物保持台車３０は、図２に示すように、所定木口寸法の角材３１１が直方体状に組み合わされることによって形成された直方体状枠体３１と、この直方体状枠体３１の４本の支柱３２に支持された、鉢植え状態の植物Ｐを載置するための複数段の棚板３３と、各棚板３３の上方で４本の支柱３２に支持されたミラープレート３４と、最下段の棚板３３を支持する角材３１１の下面において４本の支柱３２と対向するように設けられた４つのキャスター３５とを備えている。４本の支柱３２の頂部には天板３２１が架設されている。
【００５９】
前記直方体状枠体３１は、立体形状が植物生理管理庫２０より若干小さく、かつ、植物生理管理庫２０と略相似形に設定され、これによって前記出入口２４１を介して植物生理管理庫２０の植物管理空間Ｖ内に対し挿脱し得るようになっている。
【００６０】
前記棚板３３は、本実施形態では３段とされているが、本発明は、棚板３３が３段であることに限定されるものではなく、状況に応じて所定の段数、例えば２段以下であってもよいし、４段以上であってもよい。
【００６１】
前記ミラープレート３４は、光源７０からの光を反射させて棚板３３上の植物Ｐに万遍なく光を照射するためのものである。かかるミラープレート３４は、例えば、硬質の合成樹脂製の前後方向に長尺のプラスチックボードを左右方向の中央位置で前後方向に延びる折り曲げ線に沿って下に凸に所定角度だけ折り曲げられることによって形成されている。そして、かかる折り曲げ処理が施されたプラスチックボードの凸面に蒸着処理が施されて鏡面３４１が形成されている。従って、光源７０からの光は、下に凸の鏡面３４１に反射され、棚板３３上の植物Ｐに対して万遍なく照射されることになる。
【００６２】
因みに本実施形態においては、植物保持台車３０を植物管理空間Ｖに対して挿脱するに際し、出入口２４１の下部の段差を埋めるために側面視で直角三角形状を呈した案内板２５１が設けられ、キャスター３５がこの案内板２５１に案内されることにより植物保持台車３０の植物管理空間Ｖに対する出し入れ操作が容易になる。
【００６３】
前記加湿器４０は、植物生理管理庫２０の側部外方（図１および図３に示す例では右側部外方）に設けられている。かかる加湿器４０は、植物生理管理庫２０の右側の側板２４２の中央部より若干下方位置を貫通して当該側板２４２に支持された排気ダクト４８の上流端と、植物生理管理庫２０の天板２４３の中央部を貫通して当該天板２４３に支持された吸気ダクト４９の下流端との間に介設された直方体状のハウジング４７に内装されている。
【００６４】
前記ハウジング４７には、その右面に矩形状のメンテナンス開口４７１が設けられているとともに、このメンテナンス開口４７１を開閉自在に閉止するメンテナンスドアー４７２が設けられている。
【００６５】
図４および図５は、加湿器４０の一実施形態を示す図であり、図４は、一部切欠き斜視図、図５は、図４のＶ−Ｖ線断面図である。なお、図４および図５におけるＸおよびＹによる方向表示は図１の場合と同様（Ｘは左右方向（−Ｘ：左方、＋Ｘ：右方）、Ｙは前後方向（−Ｙ：前方、＋Ｙ：後方））である。
【００６６】
因みに、図５においては、白抜きや印で植物管理空間Ｖ内から吸引された気流を示し、太い実線矢印で加湿器４０内のケーシング４６から排気ダクト４８１を介して植物管理空間Ｖに導入される負帯電微細水滴を含んだ気流を示し、細い実線矢印で水槽４１に貯留されている状態から負帯電微細水滴に到る水を示している。
【００６７】
まず、図４に示すように、加湿器４０は、ハウジング４７の底板４７３上に据え付けられた水が貯留される大皿状の水槽４１と、この水槽４１の対向する縁部間に架設された架台４２と、この架台４２の中央部から水槽４１内の水中にまで垂下された、水槽４１内の水を吸引するための上面が開放された吸引管４３と、この架台４２の下面の中央位置で吸引管４３回りに回転可能に設けられた、駆動モータ４５２の駆動で駆動軸回りに回転する送風羽根４４と、架台４２の上面に筒体４５の駆動軸回りに同心で一体回転可能に設けられた、周面に複数枚の螺旋フィン４５１が固定された上窄みの筒体４５と、筒体４５を覆うように前記架台４２上に同心で固定された上窄まりの円筒状のケーシング４６とを備えている。
【００６８】
前記水槽４１には、水位が下がると上水などの水源４１１からの水が給水管４１２を介して自動的に給水されるようになっており、これによって水槽４１内には常に所定の水位で水が貯留されている。本実施形態においては、水源４１１として後述する冷却水源６１が兼用されている。
【００６９】
前記送風羽根４４は、架台４２から垂下された円筒状の風防４４１によって覆われている。また、架台４２には、前記風防４４１の内側であって、筒体４５とケーシング４６との間の環状通気路４５０に対応した部分に上下に貫通した複数の通気孔４２２が穿設されている。また、前記駆動モータ４５２は、縦置きで筒体４５内における架台４２上に据え付けられている。また、ケーシング４６内の上部には、筒体４５の頂面を覆った状態の細かい網目のネット４６１が架設されているとともに、このネット４６１の上部には多孔質シートからなるフィルタ４６２が設けられている。
【００７０】
一方、前記排気ダクト４８は、その上流側がハウジング４７の底板４７３を貫通され、上流端がケーシング４６の上面開口を覆った状態で当該ケーシング４６に固定され、これによって加湿器４０で発生した気流およびレナード効果により生成された負帯電微細水滴は、ケーシング４６の頂部と排気ダクト４８ン０頂部との間に介設された連絡ダクト４８９およびが排気ダクト４８を介して植物生理管理庫２０の植物管理空間Ｖ内へ供給されるようになっている。
【００７１】
そして、加湿器４０と、排気ダクト４８と、植物管理空間Ｖと、吸気ダクト４９とによって植物管理空間Ｖ内の雰囲気を循環させるとともに、加湿器４０で生成された負帯電微細水滴を植物管理空間Ｖ内に供給する本発明に係る循環路が形成されている。
【００７２】
このように構成された加湿器４０によれば、駆動モータ４５２の駆動による駆動軸の回転で架台４２下の送風羽根４４および架台４２上の筒体４５を軸心回りに一体回転させることにより、まず、風防４４１内がエジェクター効果により低圧になり、これによって吸引管４３の外周面に水面から上方に向かう上昇気流が形成されるとともに、水槽４１内の水が吸引管４３を介して上方へ吸引され、送風羽根４４の基端側に供給される。
【００７３】
送風羽根４４の基端側に供給された水は、回転している送風羽根４４に誘導されて遠心力で風防４４１の内周面に向けて吹き飛ばされ、風防４４１との衝突で細粒子になる。この細粒子は、通気孔４２２を通って架台４２上の環状通気路４５０へ導入され、ここで回転している筒体４５の周面の螺旋フィン４５１およびケーシング４６の内壁面に衝突して超微細粒子になる。この超微細粒子は、ケーシング４６の頂部に架設されたネット４６１およびフィルタ４６２を通過することで、水のクラスターの破砕処理に起因したいわゆるレナード効果により負に帯電した負帯電微細水滴になる。
【００７４】
そして、このような負帯電微細水滴が植物生理管理庫２０の植物管理空間Ｖ内に供給されると、当該負帯電微細水滴は、その粒径が極めて小さいことにより、埃や細菌を保持することがないため、極めて清浄な状態になっていることから、単に水を噴霧した場合に比較し、植物Ｐへの雑菌の侵入をより効果的に防止することができるばかりか、水滴による葉の赤枯れを防止することが可能になる等、湿度による植物Ｐの生育環境を確保しつつり、植物Ｐの劣化を有効に回避することが可能になり、これによって植物管理空間Ｖ内を植物Ｐを適正に育成したり貯蔵したりするのに最適の生育空間にすることができる。
【００７５】
因みに、自然現象である滝からの水の落下により形成される負帯電微細水滴の個数は、通常、６０００個／ｃｍ３といわれているが、本発明に係る加湿器４０では、１ｃｍ３当たり数万〜数十万個（本実施形態では略２０００００個／ｃｍ３）である。
【００７６】
前記加温装置５０は、植物生理管理庫２０の植物管理空間Ｖ内の生育温度を上昇させるときに使用されるものであり、図１および図３に示すように、ボイラー５１によって生成された熱水または蒸気が流通される昇温用蛇行管５２を備えている。この昇温用蛇行管５２は、植物生理管理庫２０の底板２５上に植物保持台車３０のキャスター３５と干渉しない状態で配設されている。かかる昇温用蛇行管５２にボイラー５１から適正な熱水または蒸気が供給されることにより、植物管理空間Ｖ内の雰囲気は、対流伝熱によって昇温されるようになっている。
【００７７】
前記冷却装置６０は、植物生理管理庫２０の植物管理空間Ｖ内の生育温度を下降させるときに使用されるものであり、図１および図３に示すように、通常の上水道や汲み上げた地下水を供給するように構築された地下水道等の冷却水源６１からの冷却水が流通される冷却用蛇行管６２を備えている。
【００７８】
前記冷却用蛇行管６２は、植物生理管理庫２０の左右方向一対の側板２４２の内壁面に沿うように配設されている。植物管理空間Ｖ内は、これら左右一対の冷却用蛇行管６２からの冷気の対流伝熱により冷却され得るようになっている。
【００７９】
そして、ボイラー５１からの昇温用蛇行管５２への熱水あるいは蒸気の供給量および供給タイミングと、冷却水源６１からの冷却用蛇行管６２への冷却水の供給量および供給タイミングとを、植物管理空間Ｖ内の温度が目標温度になるように制御することにより、植物管理空間Ｖ内を、生育対象の植物Ｐにとって最適の温度環境にすることができる。
【００８０】
前記光源７０は、植物管理空間Ｖ内に装填された植物Ｐに光合成等を行わせるためのものである。本実施形態では光源７０として商用電源７１からの電力供給によって発光する複数本の蛍光灯７２が採用されている。かかる蛍光灯７２は、植物生理管理庫２０の左右一対の側板２４２の外壁面に沿って配設されている。蛍光灯７２からの光を植物管理空間Ｖ内へ透過させるべく、各側板２４２は、透明な硬質の合成樹脂材料または透明ガラスによって形成されている。
【００８１】
このように構成された植物生理管理装置１０によれば、接木や苗木等の予め生育対象として調製された植物Ｐを、植物生理管理庫２０の外部で植物保持台車３０の各棚板３３上にマトリックス状に積み込み、多数の植物Ｐが積み込まれた植物保持台車３０を開閉扉２６の開放された入口から植物生理管理庫２０内に挿入したのち開閉扉２６を閉止して植物生理管理庫２０の植物管理空間Ｖ内を略密閉状態にする。
【００８２】
引き続き、当該植物Ｐの生育条件に合わせてボイラー５１からの加温用熱源を昇温用蛇行管５２に供給したり、冷却水源６１からの冷却水を冷却用蛇行管６２に供給したりして植物管理空間Ｖ内の温度を調節するとともに、加湿器４０を駆動し、生成した負帯電微細水滴を気流に同伴させて植物管理空間Ｖ内に送り込む。そうすると、加湿器４０で生成した負帯電微細水滴は、排気ダクト４８を介して植物管理空間Ｖ内に供給され、これによって植物管理空間Ｖ内は植物Ｐの生育に適した湿度環境になる。
【００８３】
この状態で植物保持台車３０の棚板３３上に整列された各植物Ｐには、蛍光灯７２からの光が照射され、これによる光合成等で植物Ｐの生育が進行する。
【００８４】
そして、植物管理空間Ｖ内の雰囲気は、当該植物管理空間Ｖと、吸気ダクト４９、加湿器４０のハウジング４７および排気ダクト４８おとによって形成された循環路を循環するため、外気を取り入れることによって当該外気に負帯電微細水滴を同伴させる場合に比較し、一旦生成されて植物管理空間Ｖ内に供給された負帯電微細水滴が外気に同伴して外部に運び出されてしまうような不都合が生じることはなく、少ないエネルギーで必要な負帯電微細粒子を確保することが可能になり、その分運転コストの低減化を達成することができる。
【００８５】
しかも、植物管理空間Ｖ内には、負の電荷で帯電した負帯電微細水滴が供給されるため、通常の散水に比較し、水滴が植物Ｐに付着することによる葉の赤枯れや、水滴中の埃や雑菌が植物Ｐに移行する等の不都合が生じることはなく、しかも微細水滴が負に帯電していることの好影響が植物Ｐに及び、植物Ｐは、順調に生育する。
【００８６】
図６は、植物生理管理装置１０によって生育される植物Ｐのいくつかの例を示す斜視図であり、図６（Ａ）は、接木の養生、図６（Ｂ）は、断根された苗木の発根処理、図６（Ｃ）は、茸の栽培、図６（Ｄ）は、青果物の貯蔵をそれぞれ行うべく調製された植物Ｐを示している。
【００８７】
まず、養生の対象となる植物Ｐが、図６（Ａ）に示すように、接木Ｐ１である場合、当該接木Ｐ１は、根付きの状態で当該根の部分が所定のカップ８１内に挿入される。かかる接木Ｐ１はカップ８ごと植物保持台車３０の棚板３３に整列されて植物生理管理庫２０内での生育に供される。カップ８内には、空気および水が含浸された複数個の多孔質粒状物８２が装填され、これら複数個の多孔質粒状物８２によって接木Ｐ１を養生するに適した培地が形成されている。このような接木Ｐ１の複数本が植物保持台車３０の棚板３３上に縦横に整列された状態で植物生理管理庫２０内において養生処理に供される。
【００８８】
また、生育の対象となる植物Ｐが、図６（Ｂ）に示すように、断根後の断根苗Ｐ２である場合、当該断根苗Ｐ２は、複数本が束ねられた状態で、水分を吸着した濾紙のような多孔質シート８３によって巻き付けられる。かかる断根苗Ｐ２の束が植物保持台車３０の棚板３３上に並べられ、植物生理管理庫２０内で発根処理に供される。
【００８９】
また、栽培の対象となる植物Ｐが、図６（Ｃ）に示すように、例えばシメジのような茸Ｐ３である場合、当該茸Ｐ３は、複数本が所定の培地とともにコップのような背丈の高い栽培容器８４に装填され、この状態で植物保持台車３０の棚板３３上に整列されて植物生理管理庫２０内で栽培に供される。
【００９０】
さらに、貯蔵の対象となる植物Ｐが、図６（Ｄ）に示すように、リンゴ等の青果物Ｐ４である場合、当該青果物Ｐ４の複数個が上面開口の木箱や段ボール箱等の収納容器８５に装填され、所定数の収納容器８５が植物保持台車３０の棚板３３上に並べられた状態で植物生理管理庫２０内に貯蔵される。
【００９１】
そして、植物Ｐの種類や生育の目的に応じて（すなわち、当該植物Ｐの生育が接木の養生であるのか、断根された苗木の発根処理であるのか、茸の栽培であるのか、あるいは青果物の貯蔵であるのか等）に応じて植物生理管理庫２０の植物管理空間Ｖ内の温度条件や湿度条件、および光合成等のための光照射の条件（照度および照射時間等）が予め決められており、これらの条件が満たされるように植物管理空間Ｖ内の環境が設定される。
【００９２】
なお、図６に図示はしなかったが通常の苗木の貯蔵においても本発明に係る植物生理管理装置１０が有効に使用される。
【００９３】
図７は、本発明に係る第２実施形態の植物生理管理装置１０′を示す平面視の説明図である。なお、図７におけるＸおよびＹによる方向表示は、図１の場合と同様（Ｘは左右方向（−Ｘ：左方、＋Ｘ：右方）、Ｙは前後方向（−Ｙ：前方、＋Ｙ：後方））である。第２実施形態の植物生理管理装置１０′は、図７に示すように、植物管理空間Ｖ内に挿入された植物保持台車３０を植物管理空間Ｖ内で移動させながら植物保持台車３０に保持された植物Ｐに対し生育処理を施すようになされている。
【００９４】
第２実施形態の植物生理管理装置１０′は、生育対象の植物Ｐが接木Ｐ１である場合の当該接木Ｐ１の養生に好適に適用されるように構成されている。このような目的で使用される植物生理管理装置１０′においては、先の実施形態で採用された直方体状を呈する植物生理管理庫２０に代えて、本実施形態では平面視で「コ」字状に形成された大型の植物生理管理庫２０′が採用されている。
【００９５】
かかる植物生理管理庫２０′は、植物管理空間Ｖとして左側が前方から後方に向かって第１管理空間（第１管理室）Ｖ１および第２管理空間（第２管理室）Ｖ２の２空間に仕切られているとともに、右側が後方から前方に向かって第３管理空間（第３管理室）Ｖ３および第４管理空間（第４管理室）Ｖ４に仕切られている。また、植物生理管理庫２０の後方には、左右方向へ延びた第２管理空間Ｖ２と第３管理空間Ｖ３とを結ぶ方向転換室Ｖ５が形成されている。
【００９６】
そして、第１管理空間Ｖ１の前方壁には、開閉可能な入口扉２６１が設けられているとともに、第４管理空間Ｖ４の前方壁には、開閉可能な出口扉２６２が設けられている。また、第１および第２管理空間Ｖ１，Ｖ２間の境界位置、第２管理空間Ｖ２と方向転換室Ｖ５との間の境界位置、方向転換室Ｖ５と第３管理空間Ｖ３との間の境界位置、並びに第３および第４管理空間Ｖ３，Ｖ４間の境界位置には、各空間を開閉可能に仕切るための仕切り部材としての、例えば蛇腹式のアコーディオンカーテン２６３がそれぞれ設けられている。各アコーディオンカーテン２６３は、植物生理管理庫２０′の適所にそれぞれ設けられた開閉駆動部としてのカーテン用モータ２６４の駆動で開閉するようになっている。
【００９７】
なお、アコーディオンカーテン２６３は、カーテンレールに支持された張架方式が採用され、アコーディオンカーテン２６３の下端部と床面との間には、後述するチェーンコンベヤ（搬送機構）２７１を通すための隙間が形成されている。
【００９８】
本実施形態では、各管理空間Ｖ１，Ｖ２，Ｖ３，Ｖ４は、２台の植物保持台車３０が直列で収容され得るように搬送系が設定されている。各管理空間Ｖ１，Ｖ２，Ｖ３，Ｖ４の左右の壁面には当該左右の壁面の略全面が切り欠かれて形成された大きな開口が設けられ、これらの開口にはそれぞれ透明板２４４が嵌め込まれている。
【００９９】
そして、各透明板２４４の外面側には、照明用の光源７０に例えば商用電源７１からの電力供給で発光する、各管理空間Ｖ１，Ｖ２，Ｖ３，Ｖ４当たり所定本数の蛍光灯７２が設けられ、各蛍光灯７２からの光は、前記各透明板２４４を透過して植物保持台車３０に保持されている接木Ｐ１へ照射される。なお、本実施形態においては、各蛍光灯７２と商用電源７１との間には光量を調節する機能を備えた配電装置（照射量調整部）７３が介設されている。この配電装置７３による配電操作で各管理空間Ｖ１，Ｖ２，Ｖ３，Ｖ４における蛍光灯７２の点灯本数を設定し、これによって各管理空間Ｖ１，Ｖ２，Ｖ３，Ｖ４の照度（Ｌｘ）を調節し得るようになっている。
【０１００】
また、各管理空間Ｖ１，Ｖ２，Ｖ３，Ｖ４内の底板上には、その左右幅方向の中央位置に、植物保持台車３０のキャスター３５と干渉しない状態で前後方向に延びた状態の４系統の昇温用蛇行管５２がそれぞれ敷設されている。各系統の昇温用蛇行管５２の基端側には、ボイラー５１から供給される昇温用流体の流量を調節する流量調節器５３が設けられ、この流量調節器５３による流量調節で各管理空間Ｖ１，Ｖ２，Ｖ３，Ｖ４内の昇温速度が調節される。
【０１０１】
また、各管理空間Ｖ１，Ｖ２，Ｖ３，Ｖ４には、各透明板２４４の内面に沿うように４系統の冷却用蛇行管６２がそれぞれ敷設されている。各系統の冷却用蛇行管６２の基端側には、冷却水源６１から供給される冷却用流体の流量を調節する流量調節器６３が設けられ、この流量調節器６３による流量調節で各管理空間Ｖ１，Ｖ２，Ｖ３，Ｖ４内の冷却速度が調節される。
【０１０２】
そして、各管理空間Ｖ１，Ｖ２，Ｖ３，Ｖ４内の適所には、当該各管理空間Ｖ１，Ｖ２，Ｖ３，Ｖ４内の温度を検出する温度センサ８６がそれぞれ設けられている。従って、各温度センサ８６の検出結果に基づき各管理空間Ｖ１，Ｖ２，Ｖ３，Ｖ４の各昇温用蛇行管５２に供給する昇温用流体の流量をそれぞれ調節するとともに、各冷却用蛇行管６２に供給する冷却用流体の流量を調節することによって各管理空間Ｖ１，Ｖ２，Ｖ３，Ｖ４内の温度が予め設定された温度になるように制御することができる。
【０１０３】
さらに、各管理空間Ｖ１，Ｖ２，Ｖ３，Ｖ４の外側には、一方の透明板２４４の略中央部に対向した位置にハウジング４７に内装された第１実施形態と同様の加湿器４０が設けられ、この加湿器４０によって生成された負帯電微細水滴が各管理空間Ｖ１，Ｖ２，Ｖ３，Ｖ４内に導入される。
【０１０４】
そして、各管理空間Ｖ１，Ｖ２，Ｖ３，Ｖ４内の適所には、当該各管理空間Ｖ１，Ｖ２，Ｖ３，Ｖ４内の湿度を検出する湿度センサ８７がそれぞれ設けられている。従って、各湿度センサ８７の検出結果に基づき各管理空間Ｖ１，Ｖ２，Ｖ３，Ｖ４内への負帯電微細水滴の供給を断続することにより、各管理空間Ｖ１，Ｖ２，Ｖ３，Ｖ４内の湿度が予め設定された湿度になるように制御することができる。
【０１０５】
なお、本実施形態においては、商用電源７１からの電力が配電装置７３を介して加湿器４０内の駆動モータ４５２へ供給されるようになされており、この配電装置７３で駆動モータ４５２への電力供給をオン・オフすることにより加湿器４０の駆動を断続させることができる。
【０１０６】
そして、植物生理管理庫２０′には、その内部で植物保持台車３０を移動させるための移動装置２７が設けられている。この移動装置２７は、各管理空間Ｖ１，Ｖ２，Ｖ３，Ｖ４内に配設されたチェーンコンベヤ２７１と、このチェーンコンベヤ２７１によって第２管理空間Ｖ２から方向転換室Ｖ５へ運び込まれた植物保持台車３０を、当該方向転換室Ｖ５内で第３管理空間Ｖ３に対向する位置にまで搬送するベルトコンベヤを駆動させるためのコンベヤベルト２７５とを備えている。
【０１０７】
前記チェーンコンベヤ２７１は、第１管理空間Ｖ１、第２管理空間Ｖ２および方向転換室Ｖ５の各左方位置における各床板上で前後方向に延びるように配設されたものと、方向転換室Ｖ５、第３管理空間Ｖ３および第４管理空間Ｖ４の右方位置における各床板上で前後方向に延びるように配設されたものとの２系列が設けられている。
【０１０８】
このようなチェーンコンベヤ２７１は、一方の端部と他方の端部とにそれぞれ設けられたスプロケット間に張設された状態でチェーン駆動モータ２７２の駆動で一対のスプロケット間を周回する。因みに、チェーンコンベヤ２７１は、アコーディオンカーテン２６３の下端縁部と床板との間の隙間を通して配設されているため、アコーディオンカーテン２６３と干渉することはない。
【０１０９】
一方、植物保持台車３０の左右の側部には、チェーンコンベヤ２７１と対応した位置に連結器３６がそれぞれ設けられ、植物保持台車３０が第１管理空間Ｖ１内へ運び込まれたときに一対の連結器３６の内の左側のものが左側のチェーンコンベヤ２７１に連結されるとともに、植物保持台車３０がコンベヤベルト２７５から第３管理空間Ｖ３へ移されたときに右側の連結器３６が右側のチェーンコンベヤ２７１と連結されるようになっている。そして、植物保持台車３０が連結器３６を介してチェーンコンベヤ２７１に連結された状態でチェーン駆動モータ２７２の駆動でチェーンコンベヤ２７１が周回することにより、植物保持台車３０は植物生理管理庫２０内で移動する。
【０１１０】
前記コンベヤベルト２７５は、方向転換室Ｖ５内でその左端部および右端部に配設されたローラ間に張設されている。各ローラは、方向転換室Ｖ５の床面より下方位置に配設され、これによってコンベヤベルト２７５の往きベルトは、床面と面一になるようになされている。かかるコンベヤベルト２７５は、ベルト駆動モータ２７６の駆動による一方のローラの駆動回転によって周回する。
【０１１１】
かかる移動装置２７によれば、植物保持台車３０がチェーンコンベヤ２７１の駆動で第２管理空間Ｖ２から方向転換室Ｖ５へ移されてコンベヤベルト２７５上に載置された時点でチェーン駆動モータ２７２の駆動が停止される。これと同時にベルト駆動モータ２７６の駆動でコンベヤベルト２７５が周回され、これによってコンベヤベルト２７５上に載置された植物保持台車３０が右方へ向かって搬送される。
【０１１２】
そして、植物保持台車３０が方向転換室Ｖ５内の右端部に到達して右側の連結器３６が右側のチェーンコンベヤ２７１に連結された状態でベルト駆動モータ２７６が停止される。引き続き右側のチェーンコンベヤ２７１のチェーン駆動モータ２７２が駆動される。これによってコンベヤベルト２７５上の植物保持台車３０は、今度は右側のチェーンコンベヤ２７１の周回により方向転換室Ｖ５から第３管理空間Ｖ３へ移される。
【０１１３】
このような第２実施形態の植物生理管理装置１０′において、接木Ｐ１が搭載された植物保持台車３０は、まず２台が第１管理空間Ｖ１に挿入され、ここでの第１次の温度および湿度条件並びに照度の条件（本実施形態では、温度２５℃、相対湿度９５％、照度については最初の６時間は０Ｌｘ、その後２０００Ｌｘ）で１日目の２４時間の第１工程養生処理が施される。
【０１１４】
ついで、１日目が経過すると、第１管理空間Ｖ１で接木Ｐ１の初期養生が完了した２台の植物保持台車３０は、アコーディオンカーテン２６３が開かれた状態でチェーンコンベヤ２７１の駆動によりで第２管理空間Ｖ２へ移動され、ここでアコーディオンカーテン２６３が閉じられた後（因みに以後の説明ではアコーディオンカーテン２６３の開閉の記述は省略する）、接木Ｐ１に対し第２次の温度および湿度条件並びに照度の条件（本実施形態では、温度２５℃、相対湿度９０％、照度については３０００Ｌｘ）で２日目の２４時間の第２工程養生処理が施される。
【０１１５】
このとき、空になった第１管理空間Ｖ１には、複数の新たな接木Ｐ１の搭載された２台の植物保持台車３０が挿入され、これらの接木Ｐ１に対して１日目の第１工程養生処理が第２管理空間Ｖ２での第２工程養生処理と同時進行される。
【０１１６】
ついで、２日目が経過すると、第２管理空間Ｖ２内の２台の植物保持台車３０は、チェーンコンベヤ２７１およびコンベヤベルト２７５の駆動で方向転換室Ｖ５を介して第３管理空間Ｖ３へ搬入され、ここで接木Ｐ１に対し第３次の温度および湿度条件並びに照度の条件（本実施形態では、温度２３℃、相対湿度８０％、照度については３０００Ｌｘ）で３日目の２４時間の第３工程養生処理が施される。
【０１１７】
このとき、空になった第２管理空間Ｖ２には、第１管理空間Ｖ１内の２台の植物保持台車３０が移されるとともに、空になった第１管理空間Ｖ１には、新たな接木Ｐ１の搭載された２台の植物保持台車３０が挿入され、第１管理空間Ｖ１では第１工程養生処理が、第２管理空間Ｖ２では第２工程養生処理が、第３管理空間Ｖ３での第３工程養生処理と同時進行される。
【０１１８】
ついで、３日目が経過すると、第３管理空間Ｖ３内の２台の植物保持台車３０は、チェーンコンベヤ２７１の駆動で方向転換室Ｖ５を介して第４管理空間Ｖ４へ搬入され、ここで接木Ｐ１に対し第４次の温度および湿度条件並びに照度の条件（本実施形態では、温度２１℃、相対湿度６０％、照度については５０００Ｌｘ）で３日目の２４時間の第３工程養生処理が施される。
【０１１９】
このとき、空になった第３管理空間Ｖ３には、第２管理空間Ｖ２内の２台の植物保持台車３０が第３管理空間Ｖ３へ移されるとともに、その後、順次空になった第２管理空間Ｖ２には、第１管理空間Ｖ１内の２台の植物保持台車３０が、空になった第１管理空間Ｖ１には、新たな接木Ｐ１の搭載された２台の植物保持台車３０が順次搬入され、第１管理空間Ｖ１では第１期養生処理が、第２管理空間Ｖ２では第２工程養生処理が、第３管理空間Ｖ３では第３工程養生処理が、第４管理空間Ｖ４での第４次条件における第４工程養生処理と同時進行される。
【０１２０】
そして、４日目が経過すると、第４管理空間Ｖ４内の植物保持台車３０は、第４管理空間Ｖ４から引き出される。このとき、空になった第４管理空間Ｖ４には第３管理空間Ｖ３内の２台の植物保持台車３０が移され、同様に第３管理空間Ｖ３には、第２管理空間Ｖ２内の２台の植物保持台車３０が、第２管理空間Ｖ２には、第１管理空間Ｖ１内の２台の植物保持台車３０が、第１管理空間Ｖ１には、新たな接木Ｐ１の搭載された２台の植物保持台車３０が順次搬入され、これによって全ての管理空間Ｖ１，Ｖ２，Ｖ３，Ｖ４に接木Ｐ１が装填された状態になる。
【０１２１】
第４管理空間Ｖ４から引き出された植物保持台車３０に搭載されている複数本の接木Ｐ１は、加湿器４０による負帯電微細水滴の作用を受けた４日間に亘る養生処理により穂木が台木に極めて高い活着率で活着した状態になっている。活着した接木Ｐ１は、商品として出荷される。
【０１２２】
以後、毎日、第４管理空間Ｖ４からの植物保持台車３０の搬出、空いた空間への前空間からの植物保持台車３０の搬入および第１管理空間Ｖ１への新しい接木Ｐ１の搬入が繰り返されることにより、通常ならば４日おきに養生処理が施された接木Ｐ１が得られるのに対し、第２実施形態に係る植物生理管理装置１０′によれば、毎日、４日間の養生処理の施された植物Ｐを得ることができ、接木Ｐ１の養生の生産性を格段に向上させることができる。
【０１２３】
このように、接木Ｐ１の養生を目的として当該接木Ｐ１の生体の生育管理を行うに当たっては、第２実施形態の植物生理管理装置１０′だけではなく、第１実施形態の植物生理管理装置１０も含めて、接木Ｐ１を植物管理空間Ｖに装填してから養生処理が完了するまでの期間において温度および湿度についてはその値を漸減させる一方、照度についてはその値を漸増させることが好ましい。
【０１２４】
図８は、本発明に係る第３実施形態の植物生理管理装置を示す平面視の説明図である。なお、図８におけるＸおよびＹによる方向表示は、図１の場合と同様（Ｘは左右方向（−Ｘ：左方、＋Ｘ：右方）、Ｙは前後方向（−Ｙ：前方、＋Ｙ：後方））である。また、図８においては、実線矢印によって加湿器４０′により形成された負帯電微細水滴の流れを示し、点線矢印によって温調空気の流れを示している。
【０１２５】
第３実施形態の植物生理管理装置１０″は、植物生理管理庫２０と、植物保持台車３０と、加湿器４０と、加温装置５０と、冷却装置６０と、光源７０とを備えている点については第１実施形態の植物生理管理装置１０と同様であるが、以下の点で第１実施形態の植物生理管理装置１０と相違している。
【０１２６】
まず、第３実施形態においては、植物生理管理庫２０が所定の隙間を介して全体的に外容器９０によって覆われ、これによって植物生理管理装置１０″が植物生理管理庫２０と外容器９０との二重構造とされている。植物生理管理庫２０の外壁面と外容器９０の内壁面との間には植物生理管理庫２０を覆う隙間が形成され、この隙間によって植物生理管理庫２０内の温度および湿度を調節するための気流を通す温調空気流通路９１が形成されている。
【０１２７】
因みに、図８において、植物保持台車３０上に植物Ｐとして花や接木、さらには青果物や茸等を示しているが、これは、植物保持台車３０に保持される植物Ｐの種類としてどのようなものがあるかを例示するべくビジュアルに示しただけであり、実際にはこれらの種類の植物Ｐの内のいずれかが植物保持台車３０に保持される。
【０１２８】
前記植物生理管理庫２０内には、第１実施形態の昇温用蛇行管５２および冷却用蛇行管６２に対応するものが設けられていない。従って、植物生理管理庫２０は、その内側で温度調節されることはなく、主に植物生理管理庫２０内の湿度調節を目的として外側から温度調節されるようになっている。
【０１２９】
そして、植物生理管理庫２０内の温度を外側から調節するべく、前記外容器９０の壁面の適所には、一方の開口が当該壁面の右方位置に穿設された開口に臨むとともに、他方の開口が同壁面の左方位置に穿設された開口に臨むように外容器９０に取り付けられた温調ダクト９２が設けられている。
【０１３０】
かかる温調ダクト９２には、先の昇温用蛇行管５２に代えて昇温用コイル管５４が加温装置５０の構成要素として内装されているとともに、先の冷却用蛇行管６２に代えて冷却用コイル管６４が冷却装置６０の構成要素として内装されている。さらに、温調ダクト９２には、適所（本実施形態では昇温用コイル管５４の右側）に当該温調ダクト９２内の空気を、前記温調空気流通路９１を介して循環させるための循環ファン装置９３が内装されている。
【０１３１】
従って、循環ファン装置９３を駆動させることにより、温調ダクト９２内で昇温用コイル管５４および冷却用コイル管６４内の所定の熱媒体との熱交換によって所定の温度に温度調節された空気は、図９に点線矢印で示すように、温調ダクト９２の左側の開口から温調空気流通路９１内に送り込まれ、これによって植物生理管理庫２０内がその壁面を介して温度調節されることになる。植物生理管理庫２０内の温度調節および湿度調節に寄与した温調空気流通路９１内の空気は、温調ダクト９２の右側の開口から当該温調ダクト９２内に戻され、以後、温調ダクト９２と温調空気流通路９１との間で循環する。
【０１３２】
すなわち、第３実施形態においては、植物生理管理庫２０内は、直接温度調節されるのではなく、その外側から植物生理管理庫２０の壁面を介して温度調節され、ひいては植物生理管理庫２０内の相対湿度が調節されるのである。
【０１３３】
また、第３実施形態においては、加湿器４０に空気吹き込み管４１３が接続されている。この空気吹き込み管４１３は、コンプレッサ等の図略のエア源からの空気を、加湿器４０内に貯留されている水の中に吹き込み、バブリング状態で加湿器４０内へ供給するためのものであり、これによって植物生理管理庫２０内の植物Ｐに対して呼吸作用のための酸素が補給される。
【０１３４】
第３実施形態の植物生理管理装置１０″におけるその他の構成は、詳細な設計事項で第１実施形態の植物生理管理装置１０と異なっている部分があるが、基本的に第１実施形態の植物生理管理装置１０と同様である。
【０１３５】
第３実施形態の植物生理管理装置１０″によれば、温調ダクト９２および温調空気流通路９１を循環する、昇温用コイル管５４および冷却用コイル管６４により温度調節された空気が植物生理管理庫２０の壁面と熱交換した上で植物生理管理庫２０内の温度が調節されることになるため、植物生理管理庫２０内の温度が調節されることに先立ってまず植物生理管理庫２０の壁面が温度調節されることになる。
【０１３６】
ところで、通常、植物生理管理庫２０内の相対湿度は、加湿器４０から気流に同伴して負帯電微細水滴が送り込まれ続けることから非常に高い値になっている。そこで、植物生理管理庫２０内の相対湿度を所望の値にまで低下させるべく、第３実施形態の植物生理管理装置１０″においては、温調空気流通路９１内を流通する空気の温度を植物生理管理庫２０内の温度より低下させるようにしている。こうすることで、まず、植物生理管理庫２０の内壁面の温度が低下して植物生理管理庫２０の内壁面に結露が生じるため、その分植物生理管理庫２０内の揮散している水分量が低下して相対湿度が迅速に低下する。
【０１３７】
これとは逆に植物生理管理庫２０内の相対湿度を上昇させるときには、温調ダクト９２から温調空気流通路９１へ供給される空気の温度が植物生理管理庫２０内の温度より高く設定される。こうすることで、植物生理管理庫２０の内壁面に結露していた水滴が揮散し、これによって植物生理管理庫２０内の相対湿度が迅速に高くなる。
【０１３８】
このように、第３実施形態の植物生理管理装置１０″においては、植物生理管理庫２０内の相対湿度を調節するべく、非常に広い面積を備えた植物生理管理庫２０の壁面の温度を調節することによる当該壁面での結露を利用するようにしているため、植物生理管理庫２０内の空気の温度を全体的に昇降させることによって植物生理管理庫２０内の相対湿度を調節する場合に比較し、格段に効率的に、かつ、迅速に植物生理管理庫２０内の湿度を調節することができる。
【０１３９】
以上詳述したように、本発明に係る第１〜第３実施形態の植物生理管理装置１０，１０′，１０″は、対象となる植物Ｐの生理的な特質に合わせてその植物Ｐを生育しながら管理する植物Ｐの生理管理（対象となる植物Ｐの呼吸や同化作用等の生理的な特質を考慮して養生、発根、育成、貯蔵等（以下これらを総称して生育という）を目的として当該植物Ｐを適正に管理すること）を行うものであり、植物Ｐが略密閉状態で装填される植物生理管理庫２０，２０′と、負に帯電した微細な負帯電微細水滴を気流に同伴させて植物生理管理庫２０，２０′内に供給するとともに、植物生理管理庫２０，２０′内の雰囲気を吸引する加湿器４０と、植物生理管理庫２０，２０′内に装填された植物に光を照射する光源７０と備えている。
【０１４０】
植物生理管理装置１０，１０′，１０″をこのように構成することにより、略密閉状態の植物生理管理庫２０，２０′内に装填された植物Ｐは、加湿器４０から供給された負帯電微細水滴の供給を受けつつ当該植物Ｐの生理的な特質に合わせて生育が管理されるため、略密閉状態の空間に装填された植物Ｐは、開放状態の空間で微細水滴の供給を受ける場合に比較し、無駄なくより効率的に、かつ、均一に負帯電微細水滴が供給され、これによって植物Ｐの生育効率を向上させることができる。
【０１４１】
また、植物Ｐに供給される水は、微細な水滴であるため、当該微細水滴中に埃や雑菌が存在せず、従って、従来の単に植物Ｐに散水した場合に比較し、植物Ｐへの埃や雑菌の付着を有効に防止することができ、植物Ｐの生育状態を常に良好に維持することができる。
【０１４２】
さらに、植物Ｐが負に帯電した負帯電微細水滴の供給を受けるため、当該水滴の負の帯電によって生育上で好影響を受け、これによって植物Ｐを適正、かつ、効率的に生育させることができる。
【０１４３】
そして、特に、光源７０が設けられていることにより、対象植物Ｐの生育特性を考慮した光照射を行うことが可能になり、光源７０が設けられていない場合に比較し、より効果的な生育管理が実行される。また、植物生理管理庫２０，２０′が屋内に据え付けられていて植物生理管理庫２０，２０′内に日光が射し込まないような場合、光源７０からの光照射で植物生理管理庫２０，２０′内の植物Ｐに光が当てられ、これによって植物生理管理庫２０，２０′内の植物の光合成等に寄与することができる。
【０１４４】
加えて、加湿器４０は、植物生理管理庫２０，２０′内の雰囲気を循環させ、この循環途中で負帯電微細水滴を形成するようにしているため、加湿器４０で生成されて気流に同伴する負帯電微細水滴が植物生理管理庫２０，２０′内から外部に漏洩することを確実に防止することができ、生成した負帯電微細水滴を無駄なく有効に使用することができる。
【０１４５】
そして、植物生理管理庫２０，２０′には、当該植物生理管理庫２０，２０′内を加温する加温装置５０、植物生理管理庫２０，２０′内を冷却する冷却装置６０、および植物生理管理庫２０，２０′内に装填された植物Ｐに光を照射する光源７０が設けられているため、植物生理管理庫２０，２０′が据え付けられる環境や状況に応じて当該植物生理管理庫２０，２０′内の温度を制御することが可能になるとともに、光源７０からの光照射で植物Ｐに光合成等を行わせることができ、植物生理管理庫２０，２０′をあらゆる設置環境に対応し得るものにすることが可能になり、植物生理管理庫２０，２０′の汎用性を向上させることができる。
【０１４６】
また、複数の植物Ｐを保持した状態で植物生理管理庫２０，２０′内に挿入される植物保持台車３０が採用されているため、植物生理管理庫２０，２０′における植物Ｐの生育処理と、植物Ｐの植物保持台車３０への搭載処理とを並列して行うことが可能になるため、植物Ｐを植物生理管理庫２０，２０′に直接装填してから植物生理管理庫２０，２０′による生育処理をおこなう直列的な処理に比較して植物Ｐの生育処理の処理効率を向上させることができる。
【０１４７】
そして、特に第２実施形態に係る植物生理管理装置１０′においては、植物生理管理庫２０′が複数に区分され、かつ、それぞれが単位植物生理管理庫としての機能を有する第１〜第４管理空間Ｖ１，Ｖ２，Ｖ３，Ｖ４が直列に配設され、各管理空間Ｖ１，Ｖ２，Ｖ３，Ｖ４を縦貫して植物保持台車３０を移動させる搬送機構としてのチェーンコンベヤ２７１が備えられている。
【０１４８】
第２実施形態に係る植物生理管理装置１０′の構成によれば、チェーンコンベヤ２７１の所定時間毎の間欠的な駆動で植物保持台車３０を１台ずつ最上流側の植物生理管理庫へ順番に搬入していくことにより、植物生理管理庫２０′内に搬入された植物保持台車３０は、第１管理空間Ｖ１から所定の時間間隔で順次下流側の空間へ搬送され、最下流側の第４管理空間Ｖ４から外部に搬出される。
【０１４９】
従って、直列に配設された複数の植物生理管理庫の各生育環境を、生育対象植物Ｐの経時的な生育過程に対応したものに設定しておくことにより、対象植物Ｐの搭載された植物保持台車３０を所定の時間間隔で最上流側の植物生理管理庫へ搬入することで、最下流があの植物生理管理庫から目的の生育処理済みの植物Ｐの搭載された植物保持台車３０が搬出され、これによって植物生育の処理効率を向上させることができる。
【０１５０】
このような植物生理管理装置１０，１０′，１０″は、具体的には、穂木が台木に挿し木されることにより形成された接木Ｐ１の養生、断根された断根苗Ｐ２の発根、茸Ｐ３の栽培並びに青果物Ｐ４（苗木を含む）貯蔵のいずれかを対象として好適に適用される。
【０１５１】
そして、植物生理管理装置１０，１０′，１０″が、接木Ｐ１の養生処理に適用された場合には、当該接木Ｐ１の活着率を向上させることができ、植物生理管理装置１０，１０′，１０″が断根された断根苗Ｐ２の発根に適用された場合には、当該断根苗の発根率を向上させることができ、植物生理管理装置１０，１０′，１０″が茸Ｐ３の栽培に適用された場合には、茸Ｐ３の生育が極めて順調に行われて収穫期間の短縮に寄与することができ、さらに、植物生理管理装置１０，１０′，１０″が青果物Ｐ４の貯蔵に適用された場合には、貯蔵中の青果物Ｐ４の枯朽を有効に防止することができる。
【０１５２】
本発明は上記の実施形態に限定されるものではなく、以下の内容をも包含するものである。
【０１５３】
（１）上記の実施形態においては、植物生理管理装置１０，１０′，１０″に加温装置５０および冷却装置６０が採用されているが、本発明は、植物生理管理装置１０，１０′，１０″に加温装置５０および冷却装置６０を設けることに限定されるものではなく、少なくとも加湿器４０および光源７０が設けられていればよい。
【０１５４】
（２）上記の第１実施形態の植物生理管理装置１０は、所定の敷地あるいは建造物内に据え付けられるものであるが、本発明は、植物生理管理装置１０を所定の定地に据え付けることに限定されるものではなく、例えば、トラックやトレーラによって輸送されるコンテナを、本発明に係る植物生理管理装置の機能を備えたものに改造したり、既存の建造物（例えば、使用しなくなった倉庫や体育館、さらには廃校になった学校の校舎など）の内部を植物生理管理装置としての機能を備えたものに改造したりしてもよい。
【０１５５】
特に、植物生理管理装置をコンテナ方式にすれば、例えば、原産地で調製直後の苗木をコンテナ方式の植物生理管理装置に積み込み、当該コンテナを消費地にまで輸送する間に苗木を商品として出荷し得る程度にまで生育させることが可能になり、原産地で生育させた後に消費地まで輸送するのに比べて効率的なデリバリーが実現する。
【０１５６】
（３）上記の実施形態においては、ボイラー５１で得られる昇温用流体の温度、および冷却水源６１の冷却用流体の温度を所定の温度に設定し、これら昇温用流体および冷却用流体の流量を調節することによって植物生理管理庫２０，２０′内の温度を制御するようにしているが、こうする代わりにボイラー５１および冷却水源６１から供給される加温用流体および冷却用流体の流量は一定とした上で、加温用流体および冷却用流体の温度を制御することにより植物生理管理庫２０，２０′内の温度を調節するようにしてもよい。
【０１５７】
（４）上記の第２実施形態に係る植物生理管理装置１０′においては、植物生理管理庫２０′が平面視で「コ」字状に形成されているが、本発明は、植物生理管理庫２０′が「コ」字状であることに限定されるものではなく、真っ直ぐに直線状に形成してもよい。こうすることで、方向転換室Ｖ５を設ける必要がなくなり、その分植物生理管理庫２０′のコンパクト化に貢献することができる。
【０１５８】
また、上記の第２実施形態においては、植物生理管理庫２０′が第１〜第４管理空間（室）Ｖ１，Ｖ２，Ｖ３，Ｖ４に区分されているが、本発明は、植物生理管理庫２０′が第１〜第４管理空間（室）Ｖ１，Ｖ２，Ｖ３，Ｖ４に区分されることに限定されるものではなく、生育対象となる植物Ｐの種類や目的に応じて管理空間Ｖを所定の室数、例えば３室以下にしてもよいし、５室以上にしてもよい。
【０１５９】
（５）上記の実施形態においては、植物生理管理庫２０，２０′内に加温装置５０、冷却装置６０が設けられているとともに、植物生理管理庫２０，２０′外に光源７０が設けられているが、本発明は、植物生理管理庫２０，２０′に加温装置５０、冷却装置６０および光源７０の全てを設けることに限定されるものではなく、植物生理管理庫２０，２０′が設けられる環境や状況に応じて加温装置５０，冷却装置６０および光源７０の内のいずれかを省略したり、これらの全てを省略したりすることができる。
【０１６０】
例えば、ガラス張りの温室や、ビニールハウスを植物生理管理庫２０，２０′として使用する場合であって、実際の昼夜のサイクルで植物Ｐに生理管理処理を施す場合には、加温装置５０、冷却装置６０および光源７０を設ける必要はない。
【０１６１】
これに対し、植物生理管理庫２０，２０′が屋内に据え付けられるような場合には、生育対象の植物Ｐに光合成等を行わせるべく、少なくとも光源７０は必要になる。
【０１６２】
また、植物生理管理庫２０，２０′が温暖地に設けられ、しかも夏場に植物Ｐの植物生理管理庫２０，２０′による生育管理が行われるような場合には、加温装置５０は不要になるし、植物生理管理庫２０，２０′が寒冷地に設けられ、かつ、当該植物生理管理庫２０，２０′が冬場に植物Ｐの植物生理管理庫２０，２０′による生育管理が行われるような場合には冷却装置６０は不要になる。
【０１６３】
（６）上記の実施形態においては、光源７０として蛍光灯７２が採用されているが、本発明は、光源７０が蛍光灯７２であることに限定されるものではなく、白熱電球、水銀灯、ハロゲンランプあるいはＬＥＤ（ｌｉｇｈｔ  ｅｍｉｔｔｉｎｇ  ｄｉｏｄｅ）等であってもよい。
【０１６４】
（７）上記の実施形態においては、加湿器４０における水の微細水滴化処理において水のクラスターの分断が行われることに起因した、いわゆるレナード効果によって当該微細水滴に負の電荷を付与するようになされているが、これに代えて、あるいはこれに加えて微細水滴を含む気流にリング状に形成されたいわゆるリング電極の輪の中を潜らせ、これによって微細水滴に負の電荷を付与するようにしてもよい。
【０１６５】
（８）上記の第２実施形態において採用された各管理空間Ｖ１，Ｖ２，Ｖ３，Ｖ４内の温度、湿度および照度は、接木Ｐ１の養生を目的としたものである。従って、植物Ｐの種類や生体の生理管理の目的に応じて適宜変更される。
【０１６６】
（９）上記の第３実施形態において、植物生理管理庫２０の内壁面に形成された結露を樋等によって集め、植物Ｐの根の部分に供給するようにしてもよい。こうすることによって、植物Ｐの根の部分の環境が水不足になることを解消することができる。
【０１６７】
（１０）上記の第３実施形態においては、植物生理管理庫２０内の雰囲気温度の調節を、当該植物生理管理庫２０の外壁面を、加温装置５０および冷却装置６０のいずれか一方または双方により温度調節された気流を前記外壁面に供給することにより行っているが、こうする代わりに通電発熱体を前記外壁面に当接させたり、冷媒が流通する配管を前記外壁面に当接させたりして植物生理管理庫２０の外壁面を直接加熱したり冷却したりすることで植物生理管理庫２０内の雰囲気温度を調節してもよい。
【図面の簡単な説明】
【０１６８】
【図１】本発明に係る第１実施形態の植物生理管理装置を示す一部切欠き斜視図である。
【図２】植物保持台車の一実施形態を示す斜視図である。
【図３】図１に示す植物生理管理装置のIII−III線断面図である。
【図４】加湿器の一実施形態を示す図である。
【図５】図４に示す加湿器のＶ−Ｖ線断面図である。
【図６】植物生理管理装置によって生育される植物のいくつかの例を示す斜視図であり、図６（Ａ）は、接木の養生、図６（Ｂ）は、断根された苗木の発根処理、図６（Ｃ）は、茸の栽培、図６（Ｄ）は、青果物の貯蔵をそれぞれ行うべく調製された植物を示している。
【図７】本発明に係る第２実施形態の植物生理管理装置を示す平面視の説明図である。
【図８】本発明に係る第３実施形態の植物生理管理装置を示す平面視の説明図である。
【符号の説明】
【０１６９】
１０  植物生理管理装置      ２０  植物生理管理庫
２１  基礎枠体              ２２  支柱
２３  梁材                  ２４  外装板
２４１  出入口              ２４２  側板
２４３  天板                ２４４  透明板
２５  底板                  ２５１  案内板
２６  開閉扉                ２６１  入口扉
２６２  出口扉              ２６３  アコーディオンカーテン
２６４  カーテン用モータ    ２７  移動装置
２７１  チェーンコンベヤ（搬送機構）
２７２  チェーン駆動モータ  ２７５  コンベヤベルト
２７６  ベルト駆動モータ    ３０  植物保持台車（植物保持台）
３１  直方体状枠体          ３１１  角材
３２  支柱                  ３３  棚板
３４  ミラープレート        ３４１  鏡面
３５  キャスター            ３６  連結器
４０  加湿器                ４１  水槽
４１１  水源                ４１２  給水管
４２  架台                  ４２２  通気孔
４３  吸引管                ４４  送風羽根
４４１  風防                ４５  筒体
４５０  環状通気路          ４５１  螺旋フィン
４５２  駆動モータ          ４６  ケーシング
４６１  ネット              ４６２  フィルタ
４７  ハウジング            ４７１  メンテナンス開口
４７２  メンテナンスドアー  ４７３  底板
４８  排気ダクト            ４８９  連絡ダクト
４９  吸気ダクト            ５０  加温装置（熱源）
５１  ボイラー              ５２  昇温用蛇行管
５３  流量調節器            ６０  冷却装置（熱源）
６１  冷却水源              ６２  冷却用蛇行管
６３  流量調節器            ７０  光源
７１  商用電源              ７２  蛍光灯
７３  配電装置（照射量調整部）
８１  カップ                ８２  多孔質粒状物
８３  多孔質シート          ８４  栽培容器
８５  収納容器              ８６  温度センサ
８７  湿度センサ            Ｐ  植物
Ｐ１  接木                  Ｐ２  断根苗
Ｐ３  茸                    Ｐ４  青果物
Ｖ  植物管理空間
Ｖ１  第１管理空間（第１管理室）
Ｖ２  第２管理空間（第２管理室）
Ｖ３  第３管理空間（第３管理室）
Ｖ４  第４管理空間（第４管理室）
Ｖ５  方向転換室
【図１】
2008104364.tif 000003
【図２】
2008104364.tif 000004
【図３】
2008104364.tif 000005
【図４】
2008104364.tif 000006
【図５】
2008104364.tif 000007
【図６】
2008104364.tif 000008
【図７】
2008104364.tif 000009
【図８】
2008104364.tif 000010